(57)【要約】【課題】カバーの構造を大きく変更することなく、照明光によってカバーの肉厚内で伝搬する迷光を抑制し、良好な撮像画像を得ることができる映像撮像装置を提供することにある。【解決手段】迷光トラップ部９は、ボディ１とで筐体を構成するドーム状のカバー４内に並置された発光ダイオード３群と撮像カメラ２との間で且つ発光ダイオード３群の照明照射見込み範囲αと撮像カメラ２の撮像見込み範囲β外に位置するカバー４の筐体内部側の面部位に密着配置した光吸収性ゲル素材１０により構成されている。【選択図】図１
2006121522.tif 000002
【特許請求の範囲】
【請求項１】
照明手段と、該照明手段の照明光によって照射される領域を撮像する撮像手段とを同一の筐体内に備え、共用する光透過性のカバーで両手段を被蔽している映像撮像装置において、前記照明手段の照明光の照射時に前記カバーの肉厚内での内部反射によって前記肉厚内を伝搬する迷光を吸収する迷光トラップ手段を前記カバーの表面に密着配置していることを特徴とする映像撮像装置。
【請求項２】
前記迷光トラップ手段を、前記筐体内に並置された前記照明手段と前記撮像手段との間に位置する前記カバーの内側表面に密着配置した光吸収性ゲル素材により構成していることを特徴とする請求項１記載の映像撮像装置。
【請求項３】
前記光吸収性ゲル素材が、前記撮像手段と前記照明手段との間を仕切る延設部を構成していることを特徴とする請求項２記載の映像撮像装置。
【請求項４】
前記迷光トラップ手段を、前記筐体内に並置された前記照明手段と前記撮像手段との間に位置する前記カバーの内側表面に塗布した光吸収性塗料により構成していることを特徴する請求項１記載の映像撮像装置。
【請求項５】
照明手段と、該照明手段の照明光によって照射される領域を撮像する撮像手段とを同一の筐体内に備え、共用する光透過性のカバーで両手段を被蔽している映像撮像装置において、前記照明手段の照明光の照射時に前記カバーの肉厚内での内部反射によって前記肉厚内を伝搬する迷光を前記カバー外へ放射させるとともに、前記照明手段方向にカバーの肉厚内で反射させる溝部からなる迷光トラップ手段を前記カバーに備えていることを特徴とする映像撮像装置。
【請求項６】
前記溝部内に光吸収性ゲル素材を埋め込んであることを特徴とする請求項５記載の映像撮像装置。
【請求項７】
前記溝部内面に光吸収性塗料を塗布していることを特徴とする請求項５記載の映像撮像装置。
【請求項８】
前記迷光トラップ手段を前記照明手段の照明照射見込み範囲外で且つ前記撮像手段の撮像見込み範囲外に配置していることを特徴とする請求項１乃至７の何れか記載の映像撮像装置。
【請求項９】
前記迷光トラップ手段を環状に形成するとともに、前記撮像手段を囲繞するように前記照明手段と前記撮像手段との間に配置していることを特徴とする請求項１乃至８の何れか記載の映像撮像装置。
【請求項１０】
前記カバーの端部に前記迷光トラップ手段を設けていることを特徴とする請求項１又は５記載の映像撮像装置。
【請求項１１】
前記迷光トラップ手段を光吸収性ゲル素材により構成していることを特徴とする請求項１０記載の映像撮像装置。
【請求項１２】
前記迷光トラップ手段を光吸収性塗料により構成していることを特徴とする請求項１０記載の映像撮像装置。
【請求項１３】
前記カバーの端面に形成した溝部内に迷光トラップ手段を設けていることを特徴とする請求項１１又は１２記載の映像撮像装置。
【請求項１４】
前記迷光トラップ手段をカバーの端部の全周に亘って形成したことを特徴とする請求項１０乃至１３の何れか記載の映像撮像装置。
【請求項１５】
前記照明手段と前記撮像手段との間に位置する前記カバーの部位に別の迷光トラップ手段を設けていることを特徴とする請求項１０記載の映像撮像装置。
【発明の詳細な説明】
【技術分野】
【０００１】
本発明は、照明手段と、該照明手段により照明光が照射される領域を撮像する撮像手段とを同一の筐体内に備え、共用する光透過性のカバーで両手段を被蔽している映像撮像装置に関するものである。
【背景技術】
【０００２】
従来、この種の映像撮像装置としては、所謂ドーム型監視カメラ装置がある。このドーム型監視カメラ装置は、図１１（ａ）に示すようにＣＣＤ等撮像素子２ａとレンズ２ｂとを組み合わせて構成される撮像手段たる撮像カメラ２と、この撮像カメラ２の周囲（両側）に配置した複数の発光ダイオード３からなる照明手段とを内部に収納する筐体を兼ねたドーム状の光透過性の樹脂製カバー４をボディ１に被着した構造のものが一般的である。
【０００３】
このような構造の監視カメラ装置では、発光ダイオード３から照射された照明光が、カバー４を介して所定の領域（被写体））を照射し、照射領域で反射した光を撮像カメラ２がカバー４を介して捉えて撮像するようになっているが、発光ダイオード３が照射する照明光がドーム状のカバー４の内側表面４ａや、カバー４の内部の構造物で反射して、撮像カメラ２のレンズ２ｂに入り込むと、照明や反射した内部構造が撮像画像に映り込むという問題がある。そのため図示するようにレンズ２ｂ周辺からカバー２との間で隙間があかないようにレンズフード５を設けて上述の反射による光がレンズ２ｂに入り込むのを防いでいた。尚この種の監視カメラ装置ではカバー４の被着時にカバー４の内側表面４ａとレンズフード５の先端面との間の密着性を出すために、レンズフード５上にゴム、スポンジなどの軟質部材６を付加していた。
【０００４】
また、図１１（ｂ）に示すように遮蔽板７をカバー４側に設けた孔４０に先端を差し込んでカバー４内へ垂下させ、この遮蔽板７によりカバー４内部での反射による照明光が撮像カメラ２のレンズ２ｂに入らないように工夫したものや、照明手段を覆うカバーと、撮像手段である撮像カメラとを覆うカバーとを設け、両カバーの間に遮蔽板を設けるものが提供されている（例えば、特許文献１）。
【特許文献１】特開２００３−８９５４号公報（図１，図３）
【発明の開示】
【発明が解決しようとする課題】
【０００５】
ところで、上述のような図１１（ａ）に示す従来例では、筐体内で反射された照明光が撮影カメラ２へ入り込むのをレンズフード５で防ぐことができるものの、カバー４の肉厚内に入射した光がカバー４の肉厚内で内部反射を起こすことになる。
【０００６】
この内部反射による反射光には内部表面（界面）に臨界角を超えて入射して全反射する光と、臨界角より小さく入射した光の一部が内部表面で反射した光がある。例えば図１２（ａ）に示すようにθ１の角度により臨界角を超えた全反射成分の反射光は、理論上ではカバー４外へ放射しないが、図１２（ｂ）に示すように実際にはカバー４の表面の微少な凹凸によって屈折しカバー４外部に放射され、また放射する際に内部表面による反射光となる。これら内部反射によってカバー４の肉厚内を伝搬する反射光が迷光Ａとなるのである。
【０００７】
そして図１２（ａ）、（ｂ）に示すよう撮像カメラ２のレンズ２ｂの前方に位置するカバー４の表面に微少な凹凸８が存在する場合、この凹凸８によってカバー４外へ放射された迷光Ａ’が撮像カメラ２のレンズ２ｂに入り込み、その結果照明や反射した内部構造が撮像画像に映り込み、画像が鮮明とならないという問題があった。
【０００８】
また、全反射以外での内部反射はカバー４の肉厚内で反射する度に４％程度の光量になるが、高感度の撮像カメラではこの多段反射の影響も問題となる。
【０００９】
つまり、照明手段を備えたドーム型監視カメラのような映像撮像装置では、夜間において照明手段により照明光を被写体に照射し、撮像カメラでは被写体からの僅かな反射光をレンズに集光して撮像素子にて映像を取得するため、被写体から戻ってくる微弱な反射光より、カバーの肉厚内での反射光の方が大きくなって撮像画像にもやがかかる現象が発生し易くなるのである。
【００１０】
更に図１１（ｂ）に示すようにカバー４の肉厚を貫通させた孔４０に遮蔽板７の一部を差し込んで取り付ける構造では、カバー４の部材と、遮蔽板７の部材とを別々に用意しなければならず、部品点数や部品の組み付け工数が増えることによりコスト増加や部品位置設計が煩雑となる可能性がある。また貫通した孔４０に遮蔽板７を差し込んだ部分が装置外部から見えるため、外観を損ねデザイン設計上問題があった。更にまた、照明手段を覆うカバーと撮像カメラを覆うカバーを分けて、両カバーの間に遮蔽板を設ける構造の場合にも同様な問題があり、特に部品点数が多く且つ複雑になるので、部品コストも大きくなり、設計自体も更に煩雑となるという問題もあった。
【００１１】
本発明は、上述の点に鑑みて為されたもので、その目的とするところは照明手段と、該照明手段により照明光が照射される領域を撮像する撮像手段とを同一の筐体内に備え、共用する光透過性のカバーで両手段を被蔽している映像撮像装置において、カバーの構造を大きく変更することなく、照明光によってカバーの肉厚内で伝搬する迷光を抑制し、良好な撮像画像を得ることができる映像撮像装置を提供することにある。
【課題を解決するための手段】
【００１２】
上述の目的を達成するために、請求項１の発明では、照明手段と、該照明手段の照明光によって照射される領域を撮像する撮像手段とを同一の筐体内に備え、共用する光透過性のカバーで両手段を被蔽している映像撮像装置において、前記照明手段の照明光の照射時に前記カバーの肉厚内での内部反射によって前記肉厚内を伝搬する迷光を吸収する迷光トラップ手段を備えていることを特徴とする。
【００１３】
請求項１の発明によれば、迷光トラップ手段によりカバーの肉厚内で伝搬する迷光を吸収して抑制することができ、そのため迷光が撮像手段に入り込んで撮像画像に与える影響を低減して、良好な撮像映像を得ることができ、特にカバーへ密着させる構成であるためカバーの構造を変更するための加工やカバーへの組み付け等が不要で製作が容易に行える。
【００１４】
請求項２の発明では、請求項１の発明において、前記迷光トラップ手段を、前記筐体内に並置された前記照明手段と前記撮像手段との間に位置する前記カバーの内側表面に密着配置した光吸収性ゲル素材により構成していることを特徴とする。
【００１５】
請求項２の発明によれば、カバーと空気層との間で発生する屈折界面を光吸収性ゲル素材によって無くし、光吸収性ゲル素材の密着位置に到達する迷光をカバーの肉厚内で反射させることなく光吸収性ゲル素材内に進入させて吸収することができ、その結果内部反射によって伝搬する迷光を抑制することができ、また光吸収性ゲル素材を用いるためカバーの構造への変更なしに迷光トラップ手段を設けることができ、カバーの設計、製作後に迷光が生じることが分かった場合にも対処が容易に行える。
【００１６】
請求項３の発明では、請求項２の発明において、前記光吸収性ゲル素材が、前記撮像手段と前記照明手段との間を仕切る延設部を構成していることを特徴とする。
【００１７】
請求項３の発明によれば、迷光トラップ部を構成する光吸収性ゲル素材をカバーの内側表面での反射光や、筐体内での反射光が撮像手段に入り込むのを防ぐレンズフードとして兼用することができ、部品点数の削減が図れる。
【００１８】
請求項４の発明では、請求項１の発明において、前記迷光トラップ手段を、前記筐体内に並置された前記照明手段と前記撮像手段との間に位置する前記カバーの内側表面に塗布した光吸収性塗料により構成していることを特徴する。
【００１９】
請求項４の発明によれば、カバーと空気層との間で発生する屈折界面を光吸収性塗料によって無くし、光吸収性塗料の塗布位置に到達する迷光をカバーの肉厚内で反射させることなく光吸収性塗料内に進入させて吸収することができ、その結果内部反射によって伝搬する迷光を抑制することができ、また光吸収性塗料を用いるためカバーの構造への変更なしに迷光トラップ手段を設けることができ、カバーの設計、製作後に迷光が生じることが分かった場合にも対処が容易に行え、また安価な塗料によって迷光トラップ手段を構成することができるためコストも高くならず、更に塗料を塗布するだけで迷光トラップ手段を形成することができるため、迷光トラップ手段が場所を取らず筐体内での部材配置スペースに余裕がないときなど特に有効である。
【００２０】
請求項５の発明では、照明手段と、該照明手段の照明光によって照射される領域を撮像する撮像手段とを同一の筐体内に備え、共用する光透過性のカバーで両手段を被蔽している映像撮像装置において、前記照明手段の照明光の照射時に前記カバーの肉厚内での内部反射によって前記肉厚内を伝搬する迷光を前記カバー外へ放射させるとともに、前記照明手段方向にカバーの肉厚内で反射させる溝部からなる迷光トラップ手段を前記カバーに備えていることを特徴とする。
【００２１】
請求項５の発明によれば、迷光トラップ手段によりカバーの肉厚内で伝搬する迷光を抑制することができ、そのため迷光が撮像手段に入り込んで撮像画像に与える影響を低減して、良好な撮像映像を得ることができ、またカバーに溝部を形成することで迷光トラップ部を得ることができるため、カバーの構造の大きな変更がなく、しかもカバーの成型時に同時に迷光トラップ手段を形成でき、そのためカバーの設計と同時に迷光トラップ手段の設計が行え且つ同時に製作することができるため、設計・製作コストが安価となる。
【００２２】
請求項６の発明では、請求項５の発明において、前記溝部内に光吸収性ゲル素材を埋め込んであることを特徴とする。
【００２３】
請求項６の発明によれば、溝部内面と空気層との間で発生する屈折界面を光吸収性ゲル素材により無くすことができ、そのため溝部に到達した迷光を光吸収性ゲル素材に進入させて吸収することができるとともに溝部に対応するカバー内面での反射をも無くし、結果迷光を抑制することができ、更に溝部からカバーの肉厚内へ入り込もうとする光も吸収して遮光することができ、その上溝部の形成により構造的に弱くなったカバーの部位を光吸収性ゲル素材によって補強することもできる。
【００２４】
請求項７の発明では、請求項５の発明において、前記溝部内面に光吸収性塗料を塗布していることを特徴とする。
【００２５】
請求項７の発明によれば、溝部内面と空気層との間で発生する屈折界面を光吸収性塗料により無くすことができ、そのため溝部に到達した迷光を光吸収性塗料に進入させて吸収することができるとともに溝部に対応するカバー内面での反射をも無くし、結果迷光を抑制することができ、更に溝部からカバーの肉厚内へ入り込もうとする光も吸収して遮光することができ、その上コストが安価な塗料を用いるからコストも高くならない。
【００２６】
請求項８の発明では、請求項１乃至７の何れかの発明において、前記迷光トラップ手段を前記照明手段の照明照射見込み範囲外で且つ前記撮像手段の撮像見込み範囲外に配置していることを特徴とする。
【００２７】
請求項８の発明によれば、照明光の照射や撮像の邪魔になることなく、迷光トラップ手段による迷光抑制が行える。
【００２８】
請求項９の発明では、請求項１乃至８の何れかの発明において、前記迷光トラップ手段を環状に形成するとともに、前記撮像手段を囲繞するように前記照明手段と前記撮像手段との間に配置していることを特徴とする。
【００２９】
請求項９の発明によれば、撮像手段へ到達しようとする周囲からの迷光を抑制することができ、結果抑制効果が向上する。
【００３０】
請求項１０の発明では、請求項１又は５の発明において前記カバーの端部に前記迷光トラップ手段を設けていることを特徴とする。
【００３１】
請求項１０の発明によれば、撮像手段と照明手段との間のスペースが取れない場合などにおいても、カバーの端部において内部反射しようとする迷光を抑制することが可能となる。
【００３２】
請求項１１の発明では、請求項１０の発明において、前記迷光トラップ手段を光吸収性ゲル素材により構成していることを特徴とする。
【００３３】
請求項１１の発明によれば、カバーの端部においてカバー表面と空気層との間で発生する屈折界面を無くすことができ、そのため端部に到達した迷光を光吸収性ゲル素材によって吸収することができ、またカバーの端面からカバーの肉厚内へ入り込もうとする光の遮光も光吸収性ゲル素材により行え、しかもカバーの端部をボディ等に面接させるような場合に光吸収性ゲル素材によりカバーの端部とボディとの間に密封性を持たせることが可能となり、屋外設置のような場合に雨滴の浸入を防ぐことができる。
【００３４】
請求項１２の発明では、請求項１０の発明において、前記迷光トラップ手段を光吸収性塗料により構成していることを特徴とする。
【００３５】
請求項１２の発明によれば、カバーの端部においてカバー表面と空気層との間で発生する屈折界面を無くすことができ、そのため端部に到達した迷光を光吸収性塗料によって吸収することができ、またカバーの端面からカバーの肉厚内へ入り込もうとする光の遮光も光吸収性塗料により行え、しかもコストが安価な塗料で実現できる。
【００３６】
請求項１３の発明では、請求項１１又は１２の発明において、前記カバーの端面に形成した溝部内に迷光トラップ手段を設けていることを特徴とする。
【００３７】
請求項１３の発明によれば、迷光トラップ手段がカバーの端面に露出せず、そのためカバーの端面をボディに面接させる場合にあっては、迷光トラップ手段を構成する光吸収性ゲル素材或いは光吸収性塗料が外気に触れず、そのため迷光トラップ手段の耐久性が向上し、またカバーを回転させることでボディに脱着する構造の場合にあってもカバーの端部とボディとの間の摩擦力で迷光トラップ手段を構成する光吸収性ゲル素材或いは光吸収性塗料が摩耗したり剥がれる恐れもない。
【００３８】
請求項１４の発明では、請求項１０乃至１３の何れかの発明において、前記迷光トラップ手段をカバーの端部の全周に亘って形成したので、迷光の抑制効果を向上させることができる。
【００３９】
請求項１５の発明では、請求項１０の発明において、前記照明手段と前記撮像手段との間に位置する前記カバーの部位に別の迷光トラップ手段を設けていることを特徴とする。
【００４０】
請求項１５の発明によれば、カバーの端部へ伝搬する迷光と、撮像手段へ伝搬する迷光とを夫々に対応する迷光トラップ手段で抑制することができ、迷光の抑制効果を大幅に向上させることができる。
【発明の効果】
【００４１】
本発明は、迷光トラップ手段によりカバーの肉厚内で伝搬する迷光を抑制することができ、そのため迷光が撮像手段に入り込んで撮像画像に与える影響を低減し、良好な撮像映像を得ることができ、しかもカバーの構造の大きな変更も必要でないという効果がある。
【発明を実施するための最良の形態】
【００４２】
以下本発明を実施形態により説明する。
（実施形態１）
本実施形態はドーム型監視カメラ装置に本発明を採用したものであって、図１（ａ）に示すように装置の筐体はボディ１と、照明光の波長に対して光透過性を有した樹脂成形品からなるドーム状のカバー４とで構成され、ボディ１に被着されたカバー４の頂部よりやや下方のカバー４の空間内には撮像手段である撮像カメラ２を配置するとともに、図において撮像カメラ２の左右両側に可視光或いは赤外光からなる照明光を照射する照明手段たる発光ダイオード３群を並置してある。
【００４３】
撮像カメラ２は従来と同様にＣＣＤ等の撮像素子２ａとレンズ２ｂとで構成されており、カバー４の内側表面４ａによって反射される照明光がレンズ２ｂ内に入り込むのを防ぐためにレンズ２ｂの前端面よりやや先端が突出している環状のレンズフード５を装着している。
【００４４】
そして撮像カメラ２と、両側の発光ダイオード３群との間で且つ発光ダイオード３群の照明照射見込み範囲αの外で且つ撮像カメラ２の撮像見込み範囲（レンズ視野）βの外に位置するカバー４の内側表面４ａの部位に光吸収性ゲル素材１０を密着配置している。この光吸収性ゲル素材１０は、柔軟性で且つ高密着性を有し、しかも多孔質性や、素材内に黒色や灰色の顔料或いは染料を混入することで、照明光の波長に対する光吸収性を有するゲル素材（例えばシリコンオイルを含んだシリコンゲルや水分を含んだハイドロゲル等）からなるもので、後述する迷光Ａを抑制する迷光トラップ部９を構成する。尚光吸収性ゲル素材１０を撮像カメラ２に並行する形で密着配置しても、或いは撮像カメラ２を囲むように円環状或いは矩形の環状に密着配置しても良い。
【００４５】
次に迷光トラップ部９として光吸収性ゲル素材１０が機能する様子を図１（ｂ）によって説明する。
【００４６】
まず発光ダイオード３から照射された照明光の一部はカバー４の肉厚内に入射して全反射等による内部反射によりカバー４の肉厚内を伝搬する迷光Ａとなり、例えば撮像カメラ２のレンズ２ｂの前方に凹凸８が存在している場合、この凹凸８からカバー４外へ放射させてレンズ２ｂ内に入り込んで撮像画像に影響を与えるという問題は上述したが、本実施形態では撮像カメラ２（レンズフード５）と、発光ダイオード３との間のカバー４の内側表面に密着配置された光吸収性ゲル素材１０によってカバー４と空気層との間で発生した屈折界面がなくなり、そのためカバー４内において多段で反射して伝搬されてきた迷光Ａは密着配置部位に到達すると光吸収性ゲル素材１０内に進入することになる。そして光吸収性ゲル素材１０内に進入した迷光Ａは素材が有する光吸収性によって吸収され、しかもカバー４の肉厚内へ再び反射して入射することもなくなる。つまり撮像カメラ２へ伝搬しようとする迷光Ａが抑制され、撮像カメラ２のレンズ２ｂの前方に凹凸８が存在していても迷光Ａがレンズ２ｂ内に入り込むのを防げることになる。
【００４７】
つまり光吸収性ゲル材１０がカバー４の肉厚内を伝搬する迷光Ａを抑制する迷光トラップ部９として機能するのである。
【００４８】
尚全反射でない約４％の内部反射光については、カバー４の厚みをｔとし、迷光Ａの反射角をθ１としたとき、光吸収性ゲル素材１０の幅を２×ｔａｎθ１（＝反射波の１周期）以上と設定すれば、理論上除去することが可能である。
【００４９】
また光吸収性ゲル素材１０の下面位置をレンズフード５の上端位置よりも下方となるようにその厚みを設定し、カバー４の内側表面４ａや筐体内部で反射した照明光がレンズフード５の上端とカバー４の内側表面４ａとの隙間からレンズ２ｂへ入り込むのを防ぐようにしても良い。
【００５０】
上述のように本実施形態では光吸収性ゲル素材１０によって迷光Ａを抑制しているのであるが、本実施形態のようにカバ−４の内側表面４ａに光吸収性ゲル素材１０を密着配置する構成では、カバー設計や製作後に迷光が生じることが初めて分かった場合でもカバー４への追加工（構造変更）なしで迷光トラップ部１０を実現させることができる。
【００５１】
尚カバー４がドーム状でなく、図１（ｃ）のように平板状の場合にあっても本実施形態の迷光トラップ部９を適用できるのは言うまでもない。
【００５２】
また光吸収性ゲル素材１０をカバー４側ではなく撮像カメラ２側に配置し、カバー４の被着時に光吸収性ゲル素材１０をカバー４の内側表面４ａに密着させるようにしても勿論良い。
【００５３】
更にまたレンズフード５の先端面と光吸収性ゲル素材１０とを図１（ｄ）のように密着させ光吸収性ゲル素材１０をレンズフード５の一部として利用しても良い。この場合も全反射による迷光Ａを抑制することは勿論のこと、カバー４の内側表面４ａによる反射光Ｂや筐体内部での反射光がレンズ２ｂへ入り込むのを光吸収性ゲル素材１０によって防ぐことができる。この場合も光吸収性ゲル素材１０をカバー４側ではなくレンズフード５側に配置しても良い。
（実施形態２）
上記実施形態１ではカバー４の内側表面４ａや筐体内の構造物で反射した照明光が撮像カメラ２のレンズ２ａに入り込むのを防ぐためにレンズフード５を設けているが、本実施形態では、迷光トラップ部９の光吸収性ゲル素材１０に遮光部たるレンズフード機能を持たせた点に特徴がある。
【００５４】
つまり図２（ａ）に示すように迷光トラップ部９を構成する光吸収性ゲル材８の厚さを厚くし、その下端を撮像カメラ２の撮像素子２ａの位置に至るような長さとしてレンズ２ｂと発光ダイオード３との間を遮蔽するようしている。
【００５５】
而して本実施形態では、図２（ｂ）に示すようにカバー４の肉厚内を伝搬する迷光Ａの吸収抑制する光吸収性ゲル素材１０の役割は実施形態１と同じであるが、発光ダイオード３から照射されてカバー４の内側表面４ａで反射した照明光Ｂや筐体内部での反射光を光吸収性ゲル素材１０が遮光してレンズ２ｂへ入る込むのを防ぐ。つまり光吸収性素材１０はレンズフードとしても機能するのである。
【００５６】
尚本実施形態でも光吸収性ゲル素材１０をカバー４側ではなく撮像カメラ２側に配置し、カバー４の被着時に光吸収性ゲル素材１０をカバー４の内側表面に光吸収性ゲル素材１０を密着させるようにしても良い。
（実施形態３）
実施形態１では光吸収性ゲル素材１０を用いて迷光トラップ部９を構成しているが、本実施形態では、光吸収性ゲル素材１０の代わりに、図３（ａ）に示すように発光ダイオード３群と撮影カメラ２との間で、照明照射見込み範囲αの外で且つ撮像見込み範囲β外に位置するカバー４の内側表面にカーボンブラックなどの可視光や赤外光などの波長に対する吸収特性を持つ顔料をつや消し黒色塗料（以下光吸収性塗料という）１１を塗布し、この光吸収性塗料１１によって迷光トラップ部９を構成している。
【００５７】
つまり、光吸収性ゲル素材１０と同様にカバー４と空気層との間で発生していた屈折界面をこの光吸収性塗料１１でなくし、図３（ｂ）に示すようにカバー４の肉厚内の内部反射により伝搬する迷光Ａが光吸収性塗料１１の塗布部位に到達すると光吸収性塗料１１内に進入させるようになっている。そして光吸収性塗料１１内に進入した迷光Ａは顔料の波長吸収特性によって吸収され、カバー４の肉厚内へ再び反射して入射することもなくなる。そのため撮像カメラ２方向へ伝搬しようとする迷光Ａを抑制することができ、そのため撮像カメラ２のレンズ２ｂの前方に凹凸８が存在していても迷光Ａがレンズ２ｂ内に入り込むのを防げることになる。
【００５８】
つまり本実施形態では、光吸収性塗料１１がカバー４の肉厚内を伝搬する迷光Ａを抑制する迷光トラップ部９として機能するのである。
【００５９】
尚全反射でない約４％の内部反射光については、実施形態１と同様にカバー４の厚みをｔとし、迷光Ａの反射角をθ１としたとき、光吸収性ゲル素材１０の幅を２×ｔａｎθ１（＝反射波の１周期）以上と設定すれば、理論上除去することが可能である。
【００６０】
またレンズフード５の上端面の位置を極力カバー４の内側表面４ａに近接する位置とすることで、カバー４の内側表面４ａによる反射光や筐体内部の反射光の撮像カメラ２のレンズ２ｂへ入り込むのを防ぐことができる。
【００６１】
また光吸収性塗料１１を撮像カメラ２に並行する形で塗布する以外に、撮像カメラ２を囲むように環状に塗布しても勿論良い。更にカバー４がドーム状でない平板状の場合にも本実施形態の迷光トラップ部９を適用できるのは言うまでもない。
【００６２】
以上のように本実施形態の迷光トラップ部９は、光吸収性塗料１１を用いて構成しているので、実施形態１と同様にカバー４の設計、製作後に迷光が生じていることが初めて分かっても、カバー４への追加工なしで実現できる上に、塗料という比較的安価な材料で実現できるためコストも安く、更に他の部品のように場所を取らないため内部構造に部品配置の余裕がないときなど利便性が高いという利点がある。
（実施形態４）
実施形態１や２では光吸収性ゲル材１０を、また実施形態３では光吸収性塗料１１を用いてカバー４と空気層との間で発生していた屈折界面を無くし、迷光Ａを抑制するようにしているが、本実施形態では、図４（ａ）に示すように発光ダイオード３群と撮像カメラ２との間で且つ照明照射の見込み範囲α及び撮像見込み範囲β外のカバー４の内側表面において、断面がＶ字状の溝部１２を発光ダイオード３群の配置方向（図面に対して垂直方向）に形成し、この溝部１２により迷光トラップ部９を構成している。
【００６３】
つまり、本実施形態では、図４（ｂ）に示すように発光ダイオード８から照射された照明光がカバー４の内部面で全反射する臨界角をθ１とし、溝部１２の内側面の傾き角度を図４（ｃ）に示すようにφとした場合、溝部１２の位置に到達した全反射による迷光Ａの溝部１２内への入射角はθ２［｜９０°−（θ１＋φ｜）］で臨界角以下となり、その迷光Ａの殆どの光量がカバー４外部に光Ｃとして放射されることになり、また溝部１２に対応するカバー４の内側面で反射した光Ｄも撮像カメラ２と反対方向に反射され、そのため撮像カメラ２側へカバー４内を伝搬する迷光Ａが抑制されることになる。つまり溝部１２が迷光トラップ部９を構成することになる。
【００６４】
尚レンズフード５の上端面の位置を極力カバー４の内側表面４ａに近接する位置とすることで、カバー４の内側表面４ａによる反射光や筐体内部の反射光の撮像カメラ２のレンズ２ｂへ入り込むのを防ぐことができる。
【００６５】
また溝部１２は撮像カメラ２に並行する形で形成する以外に、撮像カメラ２を囲むように環状に形成しても勿論良い。更にその断面形状をＶ字以外にＵ字状やコの字状に形成しても良い。更に図４（ａ）、（ｂ）ではカバー４の内側表面４ａに溝部１２を形成しているが、反対のカバー４の外側表面に形成しても勿論良く、また図４（ｄ）に示すように内側及び外側表面４ｂに形成しても良い。また溝部１２の数としては図４（ｄ）に示すように複数条としても良い。更にカバー４がドーム状でない平板状の場合にも本実施形態の迷光トラップ部９を適用できるのは言うまでもない。
【００６６】
以上のように本実施形態では迷光トラップ部９を溝部１２で構成するので、カバー構造にも大きな変更が必要なく、しかもカバー４を成形する際に、溝部１２も同時に形成できるため、カバー設計と同時に溝部を設計することで、設計コスト及び製作コストが高くならない。またカバー構造にも大きな変更が必要ない。
（実施形態５）
本実施形態は、実施形態４にて形成した溝部１２内に図５に示すように実施形態１で用いた光吸収性ゲル素材と同様な光吸収性ゲル素材１０を埋め込み配設し、実施形態４の構成ではカバー４と溝部１２内の空気層との間で発生していた屈折界面を光吸収性ゲル素材１０で無くした点に特徴がある。尚溝部１２の断面形状や形成位置等は実施形態４に準ずる。
【００６７】
本実施形態では、カバー４の肉厚内を伝搬する迷光Ａが溝部１２の位置に至ると溝部１２内の光吸収性ゲル素材１０に殆どが進入して吸収され、溝部１２に対応するカバー４の内部面での反射が起きなくなる。また光吸収性ゲル素材１０で吸収されるため、溝部１２外へ光が放射されない。更にカバー４外から溝部１２内に進入する光も吸収して遮光することができる。
【００６８】
以上のように本実施形態では、溝部１２と光吸収性ゲル素材１０とで撮像カメラ２側へ伝搬する迷光Ａを抑制する迷光トラップ部９を構成することで、撮像カメラ２のレンズ２ｂに迷光Ａが進入して撮像画像に影響を与えるのを防ぐことができる。
【００６９】
また溝部１２の形成によって生じた構造的に弱い部位を光吸収性ゲル素材１０で補強することもできる。尚本実施形態においても光吸収性ゲル素材１０としては上述のシリコンゲル等を用いることも可能である。
【００７０】
更にカバー４がドーム状でない平板状の場合にも本実施形態の迷光トラップ部９を適用できるのは言うまでもない。
（実施形態６）
実施形態５では溝部１２内に光吸収性ゲル素材１０を充填しているが、本実施形態では図６に示すように溝部１２の内面に上述の光吸収性塗料１１を塗布して迷光トラップ部９を構成したものである。尚溝部１２の形状などその他の構成条件は実施形態５に準ずるものとする。
【００７１】
本実施形態では、カバー４の肉厚内を伝搬してきた迷光Ａが溝部１２の位置に至ると溝部１２内の光吸収性塗料１１に殆どが進入し、溝部１２に対応するカバー４の内部面での反射が起きなくなる。また光吸収性塗料１１で吸収され、溝部１２外へ光が放射されない。
更にカバー４外から溝部１２内に進入する光も吸収して遮光することができる。
【００７２】
以上のように本実施形態では、撮像カメラ２側へカバー４の肉厚内を伝搬する迷光Ａを溝部１２と光吸収性塗料１１とで抑制する迷光トラップ部９を構成することで、撮像カメラ２のレンズ２ｂに迷光Ａが進入して撮像画像に影響を与えるのを防ぐことができる。また塗料という比較的安価な材料を用いて実現することができる。
（実施形態７）
上記実施形態１〜６では発光ダイオード３群と撮像カメラ２との間に位置するカバー４の部位に迷光トラップ部９を設けた構成であるが、本実施形態は、発光ダイオード３群と撮像カメラ２との間で迷光トラップ部９を設けるスペースの確保ができない場合に対応したものである。
【００７３】
つまり本実施形態では、図７（ａ）に示すようにボディ１に対向するドーム状のカバー４の端部全周に、つまりカバー４の端面及びこの端面に隣接するカバー４の内側表面の端部及び外側表面の端部の全周において光吸収性ゲル素材１０を密着配置し、カバー４の端部と空気層との間に発生する屈折界面を光吸収性ゲル素材１０により無くすことで迷光をＡを吸収する迷光トラップ部９を構成している。
【００７４】
而して発光ダイオード３からの照明光がカバー４の肉厚内で全反射により発生する迷光Ａは、撮像カメラ２方向に多段反射して伝搬する一方、図７（ｂ）に示すように撮像カメラ２から遠ざかる方向、つまりカバー４の端部方向にも多段反射して伝搬する。そしてカバー４の端部に到達した迷光Ａは、カバー４の端部において光吸収性ゲル素材１０により屈折界面がなくなっているため、光吸収性ゲル素材１０に進入することになる。そのためカバー４の端部での反射は起きず、しかも実施形態１と同様に光吸収性ゲル素材１０により吸収され、カバー４内へ再び反射して入る光も生じない。
【００７５】
これにより、撮像カメラ２のレンズ２ｂに対向するカバー４の位置に凹凸８が存在してこの凹凸８からレンズ２ｂ内に入り込む迷光Ａによる光量を抑制することができ、迷光Ａの撮像画像への影響を軽減することができる。
【００７６】
上述のように本実施形態では、発光ダイオード３と撮像カメラ２との間に迷光トラップ部９を設けるスペースがない場合でも、カバー４の肉厚内での迷光Ａを抑制することができ、しかもカバー４の端部からカバー４内へ入射する光の遮光も図れる。更にカバー４の端部とボディ１との間に光吸収性ゲル素材１０によって密封性を持たせ、屋外設置のような場合に筐体内への雨滴の浸入を防ぐこともできる。
【００７７】
尚本実施形態の構成は平板状カバー４にも適用することができる。
（実施形態８）
上記実施形態７では光吸収性ゲル素材１０を用いて迷光トラップ部９を構成しているが、図８に示すようにカバー４の端部に上述した光吸収性塗料１１を塗布して迷光トラップ部９を構成しても良い。
【００７８】
而して本実施形態でもカバー４の端部での屈折界面が光吸収性塗料１１によってなくなっているため、カバー４の端部に到達すした迷光Ａは光吸収性塗料１１に進入することになる。そのためカバー４の端部での反射は起きず、また光吸収性塗料１１により吸収され、カバー４内へ再び反射して入る光も生じない。
【００７９】
これにより、撮像カメラ２のレンズ２ｂに対向するカバー４の位置に凹凸８が存在してこの凹凸８からレンズ２ｂ内に入り込む迷光Ａによる光量を抑制することができ、迷光Ａの撮像画像への影響を軽減することができる。
【００８０】
上述のように本実施形態では実施形態７と同様に発光ダイオード３と撮像カメラ２との間に迷光トラップ部９を設けるスペースがない場合でも、カバー４の肉厚内での迷光Ａを抑制することができ、しかもカバー４の端部からカバー４内へ入射する光の遮光も図れる。しかもコスト的に安価な光吸収性塗料１１によって迷光トラップ部９を構成することができる。
【００８１】
尚本実施形態の構成は平板状カバー４にも適用することができる。
（実施形態９）
ところでドーム型監視カメラ装置ではドーム状のカバー４を回転させてボディ１との脱着を行うものが多いが、実施形態１〜実施形態３のような構成において撮像カメラ２側に光吸収性ゲル素材１０や光吸収性塗料１１を配置或いは塗布してカバー４の内側表面４ａに密着させる構成の場合、カバー４の脱着の際に回転によって摩擦力が光吸収性ゲル素材１０や光吸収性塗料１１に加わって、ねじれが生じたり摩耗する恐れがある。またカバー端部に光吸収性ゲル素材１０や光吸収性塗料１１による迷光トラップ部９を設ける場合にもカバー４を回転させたときにボディ１との接触部位に発生する摩擦力でねじれが生じたり剥がれる恐れがある。
【００８２】
そこで本実施形態では、カバー４の端面に図９（ａ）に示すように全周に亘り例えば断面がコ字状の溝部１３（図９（ｂ）参照）を形成し、この溝部１３の内周面に光吸収性塗料１１を塗布して迷光トラップ部９を構成している。勿論溝部１３内に光吸収性ゲル素材を充填しても良い。
【００８３】
而して本実施形態ではカバー４を回転させながらボディ１に脱着する際にボディ１に接触するカバー４の端部に摩擦力が生じても溝部１３内の光吸収性塗料１１が摩耗したり剥がれることがないのである。また被着した状態ではカバー４の端面はボディ１の面に面接する構成であるため光吸収性塗料１１が外気に殆ど接触せず、耐久性が向上する。
【００８４】
また本実施形態では図９（ｃ）に示すようにカバー４の端部に到達した迷光Ａが溝部１３内の光吸収性塗料１１へ進入することになるが、この場合溝部１３によって進入できる面積が大きく取れるため、より多くの迷光Ａを吸収することができる。
【００８５】
尚溝部１３の断面形状としては図示するようなコ字状以外に、Ｖ字状やＵ字状であっても勿論良い。更に光吸収性塗料１１を用いる代わりに溝部１３に光吸収性ゲル素材を充填して迷光トラップ部９を構成しても同様な作用効果が得られるのは言うまでもない。
【００８６】
また本実施形態の構成は平板状のカバー４に適用させ場合には光吸収性塗料１１或いは光吸収性ゲル素材１０の耐久性の向上が期待できる。
（実施形態１０）
上記実施形態７乃至９は発光ダイオード３群と撮像カメラ２との間で迷光トラップ部９を設けるスペースの確保ができない場合に対応さるためにカバー４の端部に迷光トラップ部９を設けているが、スペースの確保ができる場合には実施形態１乃至６の何れかの迷光トラップ部９を併用しても良い。
【００８７】
本実施形態は、図９に示すように実施形態１における迷光トラップ部９と実施形態７の迷光トラップ部９とを組み合わせたものである。勿論この組み合わせに限定されるものではなく、実施形態１乃至６の何れかの構成と、実施形態７乃至９の何れかの構成とを適宜組み合わせれば良い。
【００８８】
而して本実施形態では、発光ダイオード３から照射された照明光がカバー４の肉厚内で多段に内部反射して撮像カメラ２方向に伝搬される迷光Ａと、カバー４の端部方向へ伝搬される迷光Ａとが夫々迷光トラップ部９で吸収されることになり、迷光Ａの抑制効果が大幅に向上する。
【００８９】
尚実施形態４のような溝部１２からなる迷光トラップ部９を組み合わせる場合には、実施形態４と同様に撮像カメラ２と発光ダイオード３群の間のカバー４の内側表面又は外側表面若しくは両面に溝部１２を形成しても良いし、カバー４の端部付近の内側表面又は外側表面若しくは両面に溝部１２を形成しても良い。
【図面の簡単な説明】
【００９０】
【図１】（ａ）は実施形態１の一部省略した断面図、（ｂ）は実施形態１の迷光トラップ部の動作説明図、（ｃ）は実施形態１の別の構造例の一部省略した断面図、（ｄ）は実施形１の迷光トラップ部が別の例の迷光トラップ部の動作説明図である。
【図２】（ａ）は実施形態２の一部省略した断面図、（ｂ）は実施形態２の迷光トラップ部の動作説明用の一部省略破断した拡大断面図である。
【図３】（ａ）は実施形態３の一部省略した断面図、（ｂ）は実施形態３の迷光トラップ部の動作説明図である。
【図４】（ａ）は実施形態４の一部省略した断面図、（ｂ）は実施形態４の迷光トラップ部の動作説明図、（ｃ）は実施形態１の別の例の一部省略破断した拡大断面図である。
【図５】実施形態５の迷光トラップ部の動作説明図である。
【図６】実施形態６の迷光トラップ部の動作説明図である。
【図７】（ａ）は実施形態７の一部省略した断面図、（ｂ）は実施形態７の迷光トラップ部の動作説明図である。
【図８】実施形態８の迷光トラップ部の動作説明図である。
【図９】（ａ）は実施形態９の一部省略した断面図、（ｂ）は実施形態９の迷光トラップ部を含むカバーの一部拡大断面図、（ｃ）は実施形態９の迷光トラップ部の動作説明図である。
【図１０】実施形態１０の一部省略した断面図である。
【図１１】（ａ）は一の従来例の一部省略した断面図、（ｂ）は別の従来例の一部省略した断面図である。
【図１２】（ａ）、（ｂ）は一の従来例の課題説明図である。
【符号の説明】
【００９１】
１  ボディ
２ａ  撮像素子
２ｂ  レンズ
２  撮像カメラ
３  発光ダイオード
４  カバー
５  レンズフード
８  凹凸
９  迷光トラップ部
【図１】
2006121522.tif 000003
【図２】
2006121522.tif 000004
【図３】
2006121522.tif 000005
【図４】
2006121522.tif 000006
【図５】
2006121522.tif 000007
【図６】
2006121522.tif 000008
【図７】
2006121522.tif 000009
【図８】
2006121522.tif 000010
【図９】
2006121522.tif 000011
【図１０】
2006121522.tif 000012
【図１１】
2006121522.tif 000013
【図１２】
2006121522.tif 000014